(57)【要約】  【課題】収納家具をオープン収納として使用する場合に、収納家具本体に形成した蝶番取付口を好適に隠蔽するとともに、部品点数の削減、及び取付作業の容易化を有効に図ることができるカバー部材、及びそのカバー部材が取付可能な収納家具を提供する。  【解決手段】収納空間ＧＳを形成する収納家具本体Ｇに設けた取付口３２１ａ、３２２ａ、３２２ｂを隠蔽するカバー部材５であって、収納家具本体Ｇ１が、側板３の前面部３２１に前記蝶番取付口たる前面取付口３２１ａを複数形成したものであり、これら前面取付口３２１ａに蝶番を取り付けていない状態で、前記側板３の前端部に取り付けられ各前面取付口３２１ａを同時に塞ぐようにした。【選択図】図２ 
2005124724.tif 000002
【特許請求の範囲】
【請求項１】
収納空間を形成する収納家具本体に設けた蝶番取付口を隠蔽するカバー部材であって、
前記収納家具本体が、側板の前面部に前記蝶番取付口を複数形成したものであり、これら蝶番取付口に蝶番を取り付けていない状態で、前記側板の前端部に取り付けられ前記各蝶番取付口を同時に塞ぐものであることを特徴とするカバー部材。
【請求項２】
前記側板の前面部における上下端近傍にそれぞれ設けられた前記蝶番取付口を同時に塞ぐ請求項１記載のカバー部材。
【請求項３】
前記側板の前面部を被覆し得る長尺のカバー部材本体と、当該カバー部材本体の後方に突出し前記前面部の蝶番取付口に挿入可能な挿入部とを具備するものであり、前記カバー部材本体の内側面部が、前方に向かって前記収納空間の開口巾より拡開する方向へ漸次傾斜するテーパ面をなしている請求項１又は２記載のカバー部材。
【請求項４】
前記側板が前端部に段部を形成したものであり、当該段部の内側面部と、当該内側面部の奥方に位置する前記前面部とからなるコーナー部に取り付けられる請求項１、２又は３記載のカバー部材。
【請求項５】
前記カバー部材本体の外側面部を前記段部の内側面部に弾性により密接させた状態でカバー部材を前記側板の前端部に取り付けられる請求項４記載のカバー部材。
【請求項６】
前記収納家具本体が、側板の前面部及び内側面部に前記蝶番取付口をそれぞれ複数形成したものであり、前記挿入部を前記側板の前面部の蝶番取付口に挿入し、挿入部の一部を前記内側面部の蝶番取付口に嵌め込むことにより内側面部の蝶番取付口を塞ぐ請求項３、４又は５記載のカバー部材。
【請求項７】
前記収納家具本体と同一素材を用いて構成している請求項１、２、３、４、５又は６記載のカバー部材。
【請求項８】
請求項１、２、３、４、５、６又は７記載のカバー部材を収納家具本体の側板に取付可能に構成していることを特徴とする収納家具。
【発明の詳細な説明】
【技術分野】
【０００１】
本発明は、収納家具本体に設けた蝶番取付口を隠蔽するカバー部材、及びそのカバー部材が取付可能な収納家具に関するものである。
【背景技術】
【０００２】
従来より、前面を開放した収納空間を形成する収納家具本体と、前記開口を回転して開閉可能とする回転扉とを備えた収納家具が知られている。そして、この収納家具を、前記扉を取り付けずに前方を開放したいわゆるオープンタイプとして使用する場合に、側板の前面部に設けた複数の蝶番取付口を塞ぐために、各蝶番取付口にそれぞれ合成樹脂製のキャップを取り付けるようにしているものが既に考えられている（例えば非特許文献１参照）。
【非特許文献１】「アルティス取扱説明書」、コクヨ株式会社、２００３年１月発行、Ｐ．１５）
【発明の開示】
【発明が解決しようとする課題】
【０００３】
ところで、従来のものは、各蝶番取付口にそれぞれキャップを取り付けなければならず、取付作業が面倒であるとともに、部品点数も増加するという不具合が生じる。また、蝶番取付口を隠蔽し得る隠蔽用フレームを収納家具本体に取り付ける態様も考えられるが、この場合には、隠蔽用フレームを取り付けるためのフレーム取付部材を収納家具本体に取り付けなければならず、上記と同様の不具合が生じるものである。しかも、収納家具本体に、前記蝶番取付口とは別に、フレーム取付部材を取り付けるための取付口を形成する必要があり、収納家具本体の加容易性を損なうのある。
【０００４】
本発明は、このような課題に着目してなされたものであって、主たる目的は、収納家具をオープン収納として使用する場合に、収納家具本体に形成した蝶番取付口を好適に隠蔽するとともに、部品点数の削減、及び取付作業の容易化を有効に図ることができるカバー部材、及びそのカバー部材が取付可能な収納家具を提供することにある。
【課題を解決するための手段】
【０００５】
すなわち、本発明のカバー部材は、収納空間を形成する収納家具本体に設けた蝶番取付口を隠蔽するカバー部材であって、前記収納家具本体が、側板の前面部に前記蝶番取付口を複数形成したものであり、これら蝶番取付口に蝶番を取り付けていない状態で、前記側板の前端部に取り付けられ前記各蝶番取付口を同時に塞ぐものであることを特徴とする。
【０００６】
ここで「口」とは、所定部位を部材の肉厚方向に貫通させてなるいわゆる孔に限らず、部材の所定部材を切り欠いてなるいわゆる切欠きをも含む概念である。また、「各蝶番取付口を同時に塞ぐ」とは、各蝶番取付口をそれぞれ別個のカバー部材を用いて塞ぐのではなく、各蝶番取付口を共通のカバー部材を用いて塞ぐ、すなわち、一のカバー部材を用いて各蝶番取付口を全て塞ぐということでありる。また、各蝶番取付口を塞ぐには多少の時間差が生じても構わない。
【０００７】
このようなものであれば、収納家具を、収納空間の前面開口を開閉し得る扉を取り付けずに前方を開放したいわゆるオープンタイプとして使用する場合に、側板の前面部に設けた複数の蝶番取付口を、一のカバー部材を用いて同時に隠蔽することができ、各蝶番取付口にそれぞれキャップを取り付ける態様と比較して、部品点数の削減、及び取付作業の容易化を有効に図ることができる。
【０００８】
特に、カバー部材が、前記側板の前面部における上下端近傍にそれぞれ設けられた前記蝶番取付口を同時に塞ぐものであることが好ましい。
【０００９】
具体的実施態様としては、前記カバー部材が、前記側板の前面部を被覆し得る長尺のカバー部材本体と、当該カバー部材本体の後方に突出し前記前面部の蝶番取付口に挿入可能な挿入部とを具備するものであり、前記カバー部材本体の内側面部が、前方に向かって前記収納空間の開口巾より拡開する方向へ漸次傾斜するテーパ面をなしているものが挙げられる。このようなものであれば、例えば、前記収納家具が、蝶番を介して取り付けられる回転扉と収納家具の前面開口をスライド移動する引き戸とを使用態様に応じて適宜取付変更可能に構成したものである場合、収納家具本体の側板の前面部に、前記引き戸に設けたラッチ機構の係留爪が係留可能な係留口を設けているのが通例であるが、前記カバー部材を前記側板の前端部に取り付けることにより前記蝶番取付口とともに係留口をも同時に隠蔽することができる。加えて、カバー部材の挿入部を前面部の蝶番取付口に挿入可能に構成しているため、カバー部材を取り付けるためのいわばカバー部材取付口と前記蝶番取付口とを共通化することができ、前記側板に取付口を形成する手間を最小限に抑えることができる。
【００１０】
また、見栄えをよくするためには、前記側板が前端部に段部を形成したものであり、前記カバー部材を、段部の内側面部と、この内側面部の奥方に位置する前記前面部とからなるコーナー部に取り付けるようにすればよい。
【００１１】
特に、前記カバー部材本体の外側面部を前記段部の内側面部に弾性により密接させた状態でカバー部材を前記側板の前端部に取り付けられるようにすれば、カバー部材本体と段部との間に隙間が形成されることなく、良好な取付状態を実現することができる。
【００１２】
また、前記収納家具本体が、側板の前面部及び内側面部に前記蝶番取付口をそれぞれ複数形成したものであり、前記挿入部を前記側板の前面部の蝶番取付口に挿入し、挿入部の一部を前記内側面部の蝶番取付口に嵌め込むことにより内側面部の蝶番取付口を塞ぐことが可能なカバー部材であれば、簡単な操作で前面部及び内側面部の蝶番取付口に一度に隠蔽することができる。
【００１３】
カバー部材と収納家具本体との外観の統一性を図るためには、前記カバー部材を、前記収納家具本体と同一素材を用いて構成すればよい。
【００１４】
また、前記カバー部材を収納家具本体の側板に取付可能に構成している収納家具であれば、上記効果を奏するカバー部材を取り付けることができ好適である。
【発明の効果】
【００１５】
以上説明したように本発明によれば、収納家具を、収納空間の前面開口を開閉し得る扉を取り付けずに前方を開放したいわゆるオープンタイプとして使用する場合に、側板の前面部に設けた複数の蝶番取付口を、一のカバー部材を用いて同時に隠蔽することができ、各蝶番取付口にそれぞれキャップを取り付ける態様と比較して、部品点数の削減、及び取付作業の容易化を有効に図ることができる。また、例えば、前記収納家具が、蝶番を介して取り付けられる回転扉と収納家具の前面開口をスライド移動する引き戸とを使用態様に応じて適宜取付変更可能に構成したものである場合、収納家具の側板の前面部に、前記引き戸に設けたラッチ機構の係留爪が係留可能な係留口を設けているのが通例であるが、カバー部材を前記側板の前面部に取り付けることにより前記蝶番取付口とともに前記係留口をも同時に隠蔽することが可能である。
【発明を実施するための最良の形態】
【００１６】
以下、本発明の一実施形態を、図面を参照して説明する。
【００１７】
本発明に係る収納家具の蝶番取付口隠蔽構造は、例えば図１等に示すような収納家具に適用される。
【００１８】
この収納家具Ｇは、図１及び図２等に示すように、前面を開口させた収納空間ＧＳを形成する収納家具本体Ｇ１を備え、この収納空間ＧＳの前面開口を回転して開閉可能とする図示しない一対の回転扉を備えたいわゆる両開き扉タイプ、又は収納空間ＧＳの前面開口を巾方向にスライド移動して開閉可能とする図示しない一対の引き戸を備えたいわゆる引き違い戸タイプ、又は前記回転扉又は前記引き戸を取り付けず、前面開口を開口させてなるいわゆるオープンタイプの３タイプのうちから、使用態様に合わせて設定変更可能に構成されたものである。
【００１９】
収納家具本体Ｇ１は、図１〜図３、及び図５等に図示するように、例えばスチール素材を折り曲げて成形してなる天板１、底板２、左右一対の側板３、背板４を筐形に組み付けることによって構成されたものである。なお、説明の便宜上、以下の説明においては、開放させている一端を前端（前端部）とし、背板４が位置する一端を後端（後端部）とする。
【００２０】
天板１及び底板２は、平面視略矩形状をなしたものであり、天板１及び底板２の前端部近傍領域に下方又は上方にそれぞれ突出させた補強部１１、２１を設けている。各補強部１１、２１は、前記回転扉を取り付けた使用態様においては、回転扉を閉じた場合に回転扉のそれ以上の回転を規制する戸当たり部として機能する。各補強部１１、２１の前面部に、前記回転扉に設けたラッチ機構の係留爪が係留可能な係留孔１１ａ、２１ａをそれぞれ所定箇所に形成してある（図３参照）。
【００２１】
一対の側板３は、側面視略矩形状をなし、前端部に段部３Ｄが形成されている。本実施形態においては、各側板３を、主として、収納家具本体Ｇ１の外側面を形成する外側板要素３１と、収納家具本体Ｇ１の内側面を形成する内側板要素３２とを用いて構成し、外側板要素３１の前面部３１１を内側板要素３２の前面部３２１より前方に位置させることにより、前記段部３Ｄを形成している（図３、図５参照）。また、段部３Ｄの内側面部３Ｄ１と、この内側面部３Ｄ１の後方に位置する内側板要素３２の前面部３２１とによって前記回転扉又は引き戸が位置し得るコーナー部が形成される。内側板要素３２の上下端近傍における前面部３２１及び内側面部３２２に、前記回転扉を回転可能に支持する蝶番を取り付けるための蝶番取付口を設けている（以下、前面部３２１に設けた蝶番取付口を「前面取付口３２１ａ」と称し、内側面部３２２に設けた蝶番取付口を「内側面取付口３２２ａ」と称す）。各前面取付口３２１ａは、前面部３２１の肉厚方向に貫通させてなるものであり、正面視略矩形状をなす。前面取付口３２１ａは、収納家具を両開き扉タイプとして使用する場合、図示しない前記蝶番の基端部が挿入可能な挿入口として機能する。さらに、内側板要素３２の前面部３２１には一対の前面取付口３２１ａ間に、前記引き戸に設けたラッチ機構の係留爪が係留可能な一対の係留孔３２１ｂを形成している（図２及び図３参照）。内側面取付口３２２ａは、内側面部３２２を前記外側板要素３１側に若干窪ませた凹部３２２Ａの肉厚方向に貫通させてなるものであり、本実施形態においては、一の凹部３２２Ａの略中央に第１内側面取付口３２２ａを設けるとともに、この第１内側面取付口３２２の両隣に、第１内側面取付口３２２ａより小さい径を有する第２内側面取付口３２２ｂを設けている。なお、凹部３２２Ａの形成箇所は前面取付口３２１ａの形成箇所に対応している。第２内側面取付口３２２ｂは、前記蝶番の基端部を止着するためのビスが挿入可能に設定され、一方、第１内側面取付口３２２ａは、前記蝶番の基端部と先端部との相対位置を位置決めするための調節用ねじが挿入可能なものであり、且つ調節用ねじの頭部が表出し得るように設定されている。なお、本実施形態においては、内側板要素３２を、前記各取付口３２１ａ、３２２ａ、３２２ｂを設けた第１内側板要素３２ａと、第１内側板要素３２ａの後方に位置する第２内側板要素３２ｂとから構成している。第２内側板要素３２ｂは、棚板等のオプション部材を取り付けるためのフック孔を高さ方向に沿って複数設けている。
【００２２】
次に、前面取付口３２１ａ及び内側面取付口３２２ａ、３２２ｂを利用して前記蝶番を取り付ける手順を簡単に説明する。先ず、蝶番の基端部を、前面取付口３２１ａに挿入する。そして、蝶番の基端部に設けたねじ孔と、第２内側面取付口３２２ｂとを一致させ、第２内側面取付口３２２ｂにビスを挿入し、このビスを前記基端部のねじ孔に螺合する。次いで、蝶番の基端部と先端部との相対位置を調節できる調節用ねじを第１内側面取付口３２２ａに挿入し、この調節用ねじを蝶番の所定部位に設けたねじ孔に螺合するとともに、この調節用ねじの頭部を第１内側面取付口３２２ａから表出させている。
【００２３】
しかして、本実施形態においては、収納家具Ｇをオープンタイプとして使用する場合、側板３の前端部、具体的には、段部３Ｄの内側面部３Ｄ１と、この内側面部３Ｄ１の後方に位置する内側板要素３２の前面部３２１とからなる前記コーナー部にカバー部材５を取り付けるようにしている。
【００２４】
カバー部材５は、図４〜図６等に図示するように、天板１と底板２との内法寸法と略同一の高さ寸法を有する長尺のカバー部材本体５１と、カバー部材本体５１の後方に突出し前記前面取付口３２１ａに挿入可能な挿入部５２とを備えたものである。
【００２５】
カバー部材本体５１は、例えば一枚のスチール素材を折り曲げて成形したものであり、前記挿入部５２を設ける部位を除いて等縦断面形状をなしている。このカバー部材本体５１は、平面視略三角形状をなすものであり、内側板要素３２の前面部３２１に当接し得る当接部５１１と、当接部５１１の一端から斜め前方に延びる内側面部５１２と、内側面部５１２の一端から後方に向かって延びる外側面部５１３とから構成されている。外側面部５１３は、前記当接部５１１に連続するものではなく、後方にいくにつれて僅かに内方へ傾斜し、前端部が後端部よりも若干外方に位置するように設定されている（図５参照）。そして、カバー部材５を側板３の前端部に取り付けた状態において、外側面部５１３の前端部が弾性により前記段部３Ｄの内側面部３Ｄ１に密接し得るように設定している（図７参照）。また、内側面部５１２は、前方にいくにつれて前記収納空間ＧＳの開口巾よりも拡開する方向へ漸次傾斜するテーパ面をなしている。当接部５１１の上下両端部には、挿入部５２を配置するための切欠き５１１ａをそれぞれ設けている（図４参照）。
【００２６】
挿入部５２は、例えば一枚のスチール素材を折り曲げて成形したものであり、平面視略Ｌ字形状をなしている。この挿入部５２は、前記当接部５１１の切欠き５１１ａを跨ぐ位置に溶接等により固着される基体部５２１と、基体部５２１の高さ方向略中央部位から前記切欠き５１１ａを介して後方へ略直角に延出する挿入部本体５２２とを備えている。挿入部本体５２２の奥行き方向略中央部に、内方へ若干突出させてなる突出部５２２ａを一体に設けている。この突出部５２２ａは、その突出寸法を前記内側板要素３２の肉厚寸法に対応させた円柱状のものである。突出部５２２ａの径を、前記内側板要素３２の内側面部３２２に設けた第１内側面取付口３２２ａの径より若干小さく設定し、突出部５２２ａが第１内側面取付口３２２ａに収容されるようにしている。また、突出部５２２ａを挟んだ位置に一対の貫通孔５２２ｂを設けている。各貫通孔５２２ｂの径は前記突出部５２２ａの径と略同一であり、挿入部本体５２２に固着した一対のナット５２２ｎのねじ孔５２２ｎａと前記各貫通孔５２２ｂとが連通するように設定している（図５参照）。挿入部本体５２２における突出部５２２ａ及び貫通孔５２２ｂの形成箇所は、前記内側板要素３２の凹部３２２Ａにおける前記第１内側面取付口３２２ａ及び第２内側面取付口３２２ｂの形成箇所に対応している。このような構成を有する挿入部５２を、カバー部材本体５１の上下両端近傍にそれぞれ一体的に設けている。
【００２７】
次に、カバー部材５を側板３の前記コーナー部に取り付ける手順を図５、図７及び図８を参照して説明する。先ず、カバー部材本体５１の内側面部５１２が他方の側板３に対向するようにカバー部材５を側板３の前方に持ち来し、各挿入部５２を前面取付口３２１ａにそれぞれ挿入し、カバー部材本体５１の当接部５１１を内側板要素３２の前面部３２１に当接させる。これにより、前面取付口３２１ａ及び前記係留孔３２１ｂが同時に塞がれる。そして、挿入部本体５２２の突出部５２２ａを内側板要素３２の第１内側面取付口３２２ａに嵌め込むことにより、第１内側面取付口３２２ａが塞がれるとともに、カバー部材５の内側板要素３２に対する位置決めがなされ、挿入部本体５２２の貫通孔５２２ｂと内側板要素３２の第２内側面取付口３２２ｂとが一致する。次いで、各第２内側面取付口３２２ｂにビスＶをそれぞれ挿入し、挿入部本体５２２に設けたナット５２２ｎに螺合し、挿入部本体５２２と内側板要素３２の凹部３２２Ａとを当接させる。なお、本実施形態においては、前記蝶番を取り付ける際に用いたものと同じビスを用いている。以上の手順によりカバー部材５を側板３の前記コーナー部に取り付ける。そして、この取付状態において、カバー部材本体５１の外側面部５１３、特に外側面部５１３の前端部が前記段部３Ｄの内側面部３Ｄ１に弾性により密接している（図７参照）。加えて、カバー部材本体５１の内側面部５１２が、前術の通り、前方に向かって収納空間ＧＳの開口巾より拡開する方向へ漸次傾斜するテーパ面をなしているため、図８に図示するように、側板３の内側板要素３２間に形成される収納空間ＧＳの開口巾Ｘよりカバー部材５の内側面部５１２間に形成される収納空間ＧＳの開口巾Ｙの方が大きい巾寸法を有する。なお、各挿入部５２を前面取付口３２１ａに挿入する際、挿入部５２の突出部５２２ａと内側板要素３２の凹部３２２Ａとの干渉を回避するためには、カバー部材５を若干内方に傾斜させた状態で前面取付口３２１ａに挿入すればよい。そして、各挿入部５２を前面取付口３２１ａに挿入した後に、カバー部材本体５１の外側面部５１３の前端部が前記段部３Ｄの内側面部３Ｄ１に当たるようにカバー部材５を外方側に回動させればよい。
【００２８】
このように、本実施形態に係るカバー部材５は、収納家具本体Ｇ１を構成する側板３の上下両端近傍に形成した前面取付口３２１ａに蝶番を取り付けていない状態で、側板３の前端部に取り付けられ各前面取付口３２１ａを同時に塞ぐものであるため、収納家具Ｇをいわゆるオープン収納として使用する場合であっても、側板３の上下両端近傍に形成した前面取付口３２１ａを、一のカバー部材５を用いて同時に隠蔽することができ、各前面取付口３２１ａにそれぞれキャップを取り付ける態様と比較して、部品点数の削減、及び取付作業の容易化を有効に図ることができる。
【００２９】
また、カバー部材５が、側板３の前面部３２１を被覆し得る長尺のカバー部材本体５１と、カバー部材本体５１の後方に突出し前面取付口３２１ａに挿入可能な挿入部５２とを具備するものであるため、カバー部材本体５１により側板３の前面部３２１に形成した係留孔３２１ｂをも同時に隠蔽することができ好適である。加えて、カバー部材５を取り付けるためのいわばカバー部材取付口と蝶番の取付口とを共通化することができ、側板３に取付口を形成する手間を最小限に抑え構造の簡素化を図ることができる。また、蝶番の取付手順と略同様の手順でカバー部材５を取り付けることができるように構成しているため、カバー部材５の取付作業の簡便化をも図ることができる。さらに、カバー部材本体５１の内側面部５１２が、前方に向かって収納空間ＧＳの開口巾より拡開する方向へ漸次傾斜するテーパ面をなしているため、収納家具Ｇをオープンタイプとして使用する場合、物品の出し入れの便が良くなり、使い勝手に優れたものとなる。
【００３０】
また、側板３が前端部に段部３Ｄを形成したものであり、段部３Ｄの内側面部３Ｄ１と、この内側面部３Ｄ１の奥方に位置する前記前面部３２１とからなるコーナー部にカバー部材５を取り付けているため、回転扉または引き戸が配設され得る領域を利用してカバー部材５を取り付けることができ、見栄えを損なうことがない。
【００３１】
カバー部材本体５１の外側面部５１３を段部３Ｄの内側面部３Ｄ１に弾性により密接させた状態でカバー部材５を前記コーナー部に取り付けているため、カバー部材５を収納家具本体Ｇ１に取り付けた状態において、カバー部材本体５１の外側面部５１３と段部３Ｄの内側面部３Ｄ１との間に隙間が形成されることなく、良好な取付状態を実現することができる。
【００３２】
加えて、収納家具本体Ｇ１が、側板３の前面部３２１及び内側面部３２２に取付口３２１ａ、３２２ａをそれぞれ複数形成したものであり、カバー部材５の挿入部５２を側板３の前面取付口３２１ａに挿入し、挿入部５２に設けた突出部５２２ａを側板３の第１内側面取付口３２２ａに嵌め込むことにより第１内側面取付口３２２ａを塞ぐように設定しているため、一のカバー部材５を用いて各前面取付口３２１ａ及び第１内側面取付口３２２ａを同時に隠蔽することができる。
【００３３】
特に、カバー部材５を、収納家具本体Ｇ１と同一素材を用いて構成しているため、カバー部材５と収納家具本体Ｇ１とをそれぞれ異なる素材を用いて構成している場合と比較して、カバー部材５を収納家具本体Ｇ１に取り付けた状態におけるカバー部材５と収納家具本体Ｇ１との外観の統一性を図ることができ、看者に違和感を与えることなく各取付口３２１ａ、３２２ａ等を好適に隠蔽することができる。
【００３４】
なお、本発明は、以上に詳述した実施形態に限られるものではない。
【００３５】
例えば、収納家具本体に形成する蝶番取付口は、所定部材を切り欠いてなるいわゆる切欠きであってもよい。
【００３６】
また、収納家具本体が蝶番取付口を側板の上下両端近傍以外の箇所に形成したものであってもよく、その場合には、カバー部材の挿入部の位置を蝶番取付口に対応させて適宜変更すればよい。収納家具本体が蝶番取付口を３以上形成したものである場合には、カバー部材の挿入部を蝶番取付口の数に対応させて設け、各蝶番取付口にそれぞれ挿入部を挿入するようにしてもよく、また、安定した取付状態を損なわない範囲で所定箇所の蝶番取付口にのみ挿入部を挿入するようにしても構わない。
【００３７】
また、収納家具本体の側板の前面部にのみ蝶番取付口を複数設け、カバー部材が各蝶番取付口を同時に塞ぐものであってもよい。
【００３８】
蝶番取付口を利用したカバー部材の取付手順及び蝶番の取付手順は一例であり、他の取付手順を採用しても構わない。
【００３９】
また、収納家具は、少なくとも両開き扉タイプとオープンタイプとが兼用可能な収納家具であれば、本発明の蝶番取付口隠蔽構造を採用することができ、必ずしも引き違い戸タイプをも兼用可能とする収納家具でなくても構わない。
【００４０】
その他、各部の具体的構成についても上記実施形態に限られるものではなく、本発明の趣旨を逸脱しない範囲で種々変形が可能である。
【図面の簡単な説明】
【００４１】
【図１】本発明の一実施形態に係るカバー部材を収納家具本体に取り付けた状態の収納家具を示す全体斜視図。
【図２】図１の一部を分解して示す図。
【図３】図２における収納家具本体の正面図。
【図４】同実施形態におけるカバー部材を一部省略して示す全体斜視図。
【図５】図２におけるカバー部材及び収納家具本体の所定高さ位置における平断面図を一部省略して示す全体斜視図。
【図６】同実施形態におけるカバー部材を取り付けた収納家具の正面図。
【図７】図１におけるカバー部材及び収納家具本体の所定高さ位置における平断面を一部省略して示す図。
【図８】図６におけるＡ−Ａ線端面を一部省略して模式的に示す図。
【符号の説明】
【００４２】
３…側板
３２１…前面部
３２２…内側面部
３２１ａ…前面部の蝶番取付口（前面取付口）
３２２ａ、３２２ｂ…内側面部の蝶番取付口（第１内側面取付口、第２内側面取付口）
３Ｄ…段部
５…カバー部材
５１…カバー部材本体
５１２…内側面部
５１３…外側面部
５２…挿入部
Ｇ…収納家具
Ｇ１…収納家具本体
ＧＳ…収納空間
【図１】
2005124724.tif 000003
【図２】
2005124724.tif 000004
【図３】
2005124724.tif 000005
【図４】
2005124724.tif 000006
【図５】
2005124724.tif 000007
【図６】
2005124724.tif 000008
【図７】
2005124724.tif 000009
【図８】
2005124724.tif 000010